(57)【要約】      （修正有）【課題】サーバ装置の一側から他側のノードを接続するためのネットワークケーブルを敷設しやすくするサーバ装置を提供する。【解決手段】サーバ装置１００は、シャシー１３０及び少なくとも一つの第１のノード１１０を備え、シャシー１３０は、対向する第１のエッジ１３１及び第２のエッジ１３２を有し、ノード１１０は、第１のエッジ１３１に面して設けられるポート１１２を含む。シャシー１３０は、ケーブル通路１４０をさらに有し、ケーブル通路１４０は、第１のエッジ１３１から第２のエッジ１３２まで延伸し、かつ、対向する第１の開口１４０Ａ及び第２の開口１４０Ｂを有し、第１の開口１４０Ａ及び第２の開口１４０Ｂは、それぞれ第１のエッジ１３１及び第２のエッジ１３２に位置する。【選択図】図１Ｂ
0003232197.tif 000002
【実用新案登録請求の範囲】
【請求項１】
対向する第１のエッジ及び第２のエッジを有するシャシーと、
前記第１のエッジに面して設けられる第１のポートを含む第１のノードと、を備え、
前記シャシーは、ケーブル通路をさらに有し、前記ケーブル通路は、前記第１のエッジから前記第２のエッジまで延伸し、かつ、対向する第１の開口及び第２の開口を有し、前記第１の開口は前記第１のエッジに位置し、前記第２の開口は前記第２のエッジに位置するサーバ装置。
【請求項２】
前記シャシーは、
前記第１のエッジと前記第２のエッジとの間に接続される第１の側壁と、
前記第１のエッジと前記第２のエッジとの間に接続されるとともに、前記第１の側壁と対向する第２の側壁と、を含み、
前記ケーブル通路は前記第１の側壁に沿って設けられる請求項１に記載のサーバ装置。
【請求項３】
前記シャシーは、
前記第１の側壁と前記第２の側壁との間に位置し、前記第１の側壁とケーブル通路を形成するセパレータをさらに含む請求項２に記載のサーバ装置。
【請求項４】
前記第１のノードは前記セパレータと前記第２の側壁との間に設けられる請求項３に記載のサーバ装置。
【請求項５】
前記ケーブル通路に挿脱可能に設けられるとともに、ネットワークケーブルを固定するための少なくとも１つのファスナーを含む固定ブラケットをさらに備える請求項１〜４の何れか一項に記載のサーバ装置。
【請求項６】
前記固定ブラケットは折り畳み可能ブラケットである請求項５に記載のサーバ装置。
【請求項７】
前記固定ブラケットは、第１のフレームと、前記第１のフレームに回転可能に接続される第２のフレームと、を含む請求項６に記載のサーバ装置。
【請求項８】
前記固定ブラケットは、前記シャシーと係合するように配置されるほぞ継ぎを含む請求項５〜７の何れか一項に記載のサーバ装置。
【請求項９】
前記固定ブラケットは、前記固定ブラケットの一端に位置するとともに、前記ネットワークケーブルに電気的に接続されるアダプタをさらに含む請求項５〜８の何れか一項に記載のサーバ装置。
【請求項１０】
前記第２のエッジに面して設けられる第２のポートを含む第２のノードをさらに備える請求項１〜９の何れか一項に記載のサーバ装置。
【考案の詳細な説明】
【技術分野】
【０００１】
本開示は、サーバ装置に関する。
【背景技術】
【０００２】
従来のマルチノードサーバでは、ノードを同じ側に配置する場合が多く、そのようにすれば、全てのケーブルがサーバの同じ側に集中することになる。
【考案の概要】
【０００３】
本願は、シャシー及びノードを備えるサーバ装置を提供する。シャシーは、対向する第１のエッジ及び第２のエッジを有し、ノードは、第１のエッジに面して設けられるポートを含む。シャシーは、ケーブル通路をさらに有し、ケーブル通路は、第１のエッジから第２のエッジまで延伸し、かつ、対向する第１の開口及び第２の開口を有し、第１の開口及び第２の開口は、それぞれ第１のエッジ及び第２のエッジに位置する。
【０００４】
本開示のサーバ装置は、両側を連通させるケーブル通路を提供して、管理者にとって、ネットワークケーブルを、サーバ装置の一側から他側のノードと接続するためにケーブル通路を介して他側まで延伸するように敷設しやすくなる。
【図面の簡単な説明】
【０００５】
下記の添付図面についての説明は、本開示の上記及び他の目的、特徴、メリットと実施形態をさらに分かりやすくするためのものである。
【図１Ａ】本開示の一実施例によるサーバ装置を示す正面図である。
【図１Ｂ】ネットワークスイッチに接続されている図１Ａに示されるサーバ装置を示す平面透視図である。
【図２】本開示の他の実施例によるサーバ装置を示す平面透視図である。
【図３】本開示の他の実施例によるサーバ装置を示す分解斜視図である。
【図４】図３に示されるサーバ装置を示す組立斜視図である。
【図５】本開示の他の実施例によるサーバ装置の内部構造を示す平面模式図である。
【図６】図５に示されるサーバ装置の固定ブラケットを示す斜視図である。
【考案を実施するための形態】
【０００６】
本開示の説明をより詳しく完備にするように、添付の図面及び下記に示す各種の実施形態を参照することができる。図面における各要素は、縮尺どおりに描かれておらず、本開示を説明するためのみに提供されるものである。以下、本開示を全面的に理解するために、多くの実際的な細部について説明するが、当業者は、１つ又は複数の実際的な細部がない場合でも本開示を実施できるため、これらの実施形態が本開示を限定するものではないことを理解すべきである。
【０００７】
ここで、図１Ａ及び図１Ｂを参照されたく、サーバ装置１００は、シャシー１３０及び少なくとも一つの第１のノード１１０を備え、第１のノード１１０は、シャシー１３０に設けられ、かつ、データの伝送を行うために、ネットワークケーブル２１を介してネットワークスイッチＳＷに接続されるように配置されている。一実施例において、各ノードは、それぞれ１組のマザーボード及びその上の電子素子（例えば、プロセッサ、メモリ等の素子）を含む。
【０００８】
注意すべきなのは、図１Ｂに示されるサーバ装置１００とネットワークスイッチＳＷとの相対位置は、単なる例示的なものであり、実際の応用において、サーバ１００とネットワークスイッチＳＷは、サーバキャビネット内に積み重ねて設けられてよい。
【０００９】
図１Ａと図１Ｂに示すように、サーバ装置１００のシャシー１３０は、対向する第１のエッジ１３１及び第２のエッジ１３２を有し、第１のノード１１０は、シャシー１３０の第１のエッジ１３１に隣接して設けられる。本実施例において、第２のエッジ１３２は、第１のエッジ１３１よりもネットワークスイッチＳＷに近い。第１のノード１１０は、少なくとも一つの第１のポート１１２を有し、第１のポート１１２は、シャシー１３０の第１のエッジ１３１に面する。一実施例において、第１のエッジ１３１及び第２のエッジ１３２は、シャシー１３０の短辺である。
【００１０】
図１Ａと図１Ｂに示すように、一実施例において、第１のノード１１０の第１のポート１１２は、ネットワークケーブル２１に接続するためのネットワークポートである。一実施例において、ネットワークスイッチＳＷは、ネットワークケーブル２１に接続するために、複数の第３のポートＳＷ３を有する。換言すれば、ネットワークケーブル２１は、第１のノード１１０とネットワークスイッチＳＷとの間のデータ伝送経路である。
【００１１】
図１Ａと図１Ｂに示すように、一実施例において、サーバ装置１００のシャシー１３０は、第１の開口部Ｅ１を有し、第１の開口部Ｅ１は、シャシー１３０の第１のエッジ１３１に位置し、第１のノード１１０は、第１の開口部Ｅ１を介してシャシー１３０に取り付けられるか、又はシャシー１３０から取り外されてよい。一実施例において、サーバ装置１００の第１のノード１１０は、スライドレール構造（図示せず）によってシャシー１３０にスライド可能に設けられる。
【００１２】
図１Ａと図１Ｂに示すように、シャシー１３０は、ケーブル通路１４０をさらに有し、ケーブル通路１４０は、シャシー１３０の第１のエッジ１３１から第２のエッジ１３２まで延伸し、対向する第１の開口１４０Ａ及び第２の開口１４０Ｂを有し、第１の開口１４０Ａ及び第２の開口１４０Ｂは、それぞれシャシー１３０の第１のエッジ１３１及び第２のエッジ１３２に位置する。ケーブル通路１４０は、ネットワークケーブル２１を収容するために用いられる。
【００１３】
図１Ａと図１Ｂに示すように、サーバ装置１００にケーブル通路１４０が配置された場合に、管理者にとって、第１のノード１１０の第１のポート１１２に接続するために、ネットワークケーブル２１を、サーバ装置１００のネットワークスイッチＳＷに近い側からケーブル通路１４０を介してサーバ装置１００のネットワークスイッチＳＷから離れる側まで延伸するように敷設しやすくなる。具体的には、ネットワークケーブル２１は、ケーブル通路１４０の第１の開口１４０Ａから露出した第１の端２１Ａと、第１の端２１Ａと対向する第２の端２１Ｂとを有し、ネットワークケーブル２１の第１の端２１Ａは、第１のノード１１０の第１のポート１１２に接続され、第２の端２１Ｂは、ネットワークスイッチＳＷの第３のポートＳＷ３に接続される。
【００１４】
注意すべきなのは、実際のニーズに応じて、サーバ装置１００のケーブル通路１４０は、ネットワークケーブル２１のみに限定されず、他のタイプのケーブルを敷設するために用いられてもよく、また、必要に応じて、サーバ装置１００のケーブル通路１４０は、２本以上のケーブルを同時に敷設するために用いられてもよい。
【００１５】
図１Ａと図１Ｂに示すように、一実施例において、サーバ装置１００のシャシー１３０は、第１の側壁１３３及び第２の側壁１３４を含み、第１の側壁１３３及び第２の側壁１３４は、第１のエッジ１３１と第２のエッジ１３２との間に接続され、かつ、第２の側壁１３４は、第１の側壁１３３と対向し、サーバ装置１００のケーブル通路１４０は、シャシー１３０の第１の側壁１３３に沿って設けられる。一実施例において、第１の側壁１３３及び第２の側壁１３４は、シャシー１３０の長辺に位置する。
【００１６】
図１Ａと図１Ｂに示すように、一実施例において、シャシー１３０は、底壁１３６及び頂壁１３７をさらに含み、底壁１３６は、第１のノード１１０等のシャシー１３０に取り付けられた部品を受けるために用いられ、頂壁１３７は、第１のノード１１０の上に覆われる。底壁１３６及び頂壁１３７は、第１の側壁１３３及び第２の側壁１３４に接続され、かつ、第１の側壁１３３及び第２の側壁１３４とともに第１のノード１１０及びケーブル通路１４０を設けるための収納空間を規定する。
【００１７】
図１Ａと図１Ｂに示すように、一実施例において、シャシー１３０は、セパレータ１３５を更に含み、セパレータ１３５は、第１の側壁１３３と第２の側壁１３４との間に位置し、かつ、第１の側壁１３３とケーブル通路１４０を形成する。一実施例において、セパレータ１３５は、シャシー１３０の第１のエッジ１３１から第２のエッジ１３２まで延伸する。一実施例において、第１のノード１１０は、セパレータ１３５と第２の側壁１３４との間に設けられ、換言すれば、第１のノード１１０とケーブル通路１４０は、セパレータ１３５の対向する両側に位置する。
【００１８】
図１Ａと図１Ｂに示すように、一実施例において、ケーブル通路１４０及び第１の側壁１３３は、高さが実質的に同じであり、セパレータ１３５の上下の２つのエッジは、それぞれシャシー１３０の底壁１３６及び頂壁１３７に接触する。しかしながら、本願は、これに限定されない。他の実施例において、シャシー１３０の内部の利用可能な空間を増やすように、ケーブル通路１４０の高さは、第１の側壁１３３の高さより低い。
【００１９】
図２を参照されたく、前記実施例に比べて、本実施例のサーバ装置２００は、シャシー１３０に設けられる少なくとも１つの第２のノード１２０をさらに備える。具体的には、第２のノード１２０がシャシー１３０の第２のエッジ１３２に隣接して設けられているため、サーバ装置２００は、前後両側のいずれにもノードが配置されているマルチノードサーバである。第２のノード１２０は、少なくとも１つの第２のポート１２２を有し、第２のポート１２２は、シャシー１３０の第２のエッジ１３２に面する。第２のノード１２０は、ネットワークケーブル２２を介してネットワークスイッチＳＷに接続するように配置される。第２のエッジ１３２が第１のエッジ１３１よりもネットワークスイッチＳＷに近い場合、ネットワークケーブル２２は、シャシー１３０の外に位置し、延伸してケーブル通路１４０を通す必要がない。
【００２０】
図２に示すように、一実施例において、第２のノード１２０の第２のポート１２２は、ネットワークケーブル２２の一端に接続するためのネットワークポートであり、ネットワークケーブル２２の他端は、ネットワークスイッチＳＷの第３のポートＳＷ３に接続される。一実施例において、シャシー１３０は、第２の開口部Ｅ２を有し、第２の開口部Ｅ２は、シャシー１３０の第２のエッジ１３２に位置し、第２のノード１２０は、第２の開口部Ｅ２を介してシャシー１３０に取り付けられるか、又はシャシー１３０から取り外されるように配置される。一実施例において、第２のノード１２０は、セパレータ１３５と第２の側壁１３４との間に設けられ、換言すれば、第２のノード１２０とケーブル通路１４０は、セパレータ１３５の対向する両側に位置する。
【００２１】
図３及び図４を参照されたく、前記実施例に比べて、本実施例のサーバ装置３００は、固定ブラケット３５０をさらに備え、固定ブラケット３５０は、シャシー１３０のケーブル通路１４０に挿脱可能に設けられ、かつ、ネットワークケーブル２１を固定するための少なくとも１つのファスナー３５２を含む。
【００２２】
ネットワークケーブル２１を敷設する際に、管理者は、まず固定ブラケット３５０の上のファスナー３５２を用いて、ネットワークケーブル２１を固定ブラケット３５０に固定し、続いて固定ブラケット３５０を第２の開口１４０Ｂからケーブル通路１４０に押し込んで、ネットワークケーブル２１が第１の開口１４０Ａから露出できるようにし、さらに、それを第１のノード１１０の第１のポート１１２に接続することができる。
【００２３】
図３及び図４に示すように、一実施例において、固定ブラケット３５０はほぞ継ぎ３５４を含み、ほぞ継ぎ３５４は、固定ブラケット３５０の一端に位置する。固定ブラケット３５０がケーブル通路１４０に挿入された場合、固定ブラケット３５０及びネットワークケーブル２１をケーブル通路１４０内に固定するために、固定ブラケット３５０のほぞ継ぎ３５４は、シャシー１３０と係合するように配置される。
【００２４】
図３及び図４に示すように、一実施例において、シャシー１３０は、１つ又は複数の穴Ｔを有し、固定ブラケット３５０のほぞ継ぎ３５４は、穴Ｔに係合するように配置される。一実施例において、穴Ｔは、第１の側壁１３３に位置する。一実施例において、ほぞ継ぎ３５４は、押圧部３５４Ａと、１つ又は複数の突起３５４Ｂと、を含む。突起３５４Ｂは、押圧部３５４Ａに設けられ、穴Ｔに係合するように配置される。押圧部３５４Ａは、管理者によって押圧することで突起３５４Ｂを穴Ｔから脱出させるために用いられてよく、その後、固定ブラケット３５０がケーブル通路１４０から自由に引き出されることができる。
【００２５】
複数のサーバキャビネットを含む機械室において、サーバキャビネットは、多くの場合に互いに近づくように配置されるため、隣接するサーバキャビネットの間の空間は限られている。これを鑑み、一実施例において、固定ブラケット３５０は、折り畳み可能ブラケットであり、固定ブラケット３５０が長さを縮減するように折り畳み可能であるため、管理者にとって、ネットワークケーブル２１、２２を持って狭い空間に入って接続作業を行いやすくなる。
【００２６】
図３及び図４に示すように、一実施例において、固定ブラケット３５０は、第１のフレーム３５０Ａ及び第２のフレーム３５０Ｂを含み、第２のフレーム３５０Ｂは、第１のフレーム３５０Ａに回転可能に接続され、このようにして、第２のフレーム３５０Ｂは、固定ブラケット３５０の長さを縮減するように、第１のフレーム３５０Ａの一側まで回転して折り畳まれることができる。一実施例において、固定ブラケット３５０の第１のフレーム３５０Ａ及び第２のフレーム３５０Ｂは、回転軸構造３５０Ｃによって枢転可能に接続される。一実施例において、固定ブラケット３５０の第１のフレーム３５０Ａ又は第２のフレーム３５０Ｂにファスナー３５２が設けられ、又は第１のフレーム３５０Ａ及び第２のフレーム３５０Ｂの両方にフファスナー３５２が設けられる。他の実施例において、固定ブラケット３５０は、回転軸構造３５０Ｃを有しない独立したフレームである。
【００２７】
図５及び図６に示すように、前記実施例に比べて、本実施例のサーバ装置５００の固定ブラケット５５０は、アダプタ５５６を含む。アダプタ５５６が固定ブラケット５５０の一端に位置するため、固定ブラケット５５０がシャシー１３０のケーブル通路１４０に挿入された場合に、アダプタ５５６は、ケーブル通路１４０の第１の開口１４０Ａ又は第２の開口１４０Ｂから露出する。ネットワークケーブル２１は、アダプタ５５６に電気的に接続されるように配置され、アダプタ５５６は、さらに、外部ケーブル（図示せず）を介してネットワークスイッチＳＷの第３のポートＳＷ３（図１を参照）に電気的に接続される。
【００２８】
図５及び図６に示すように、具体的に、アダプタ５５６は、１つ又は複数の内部ポート（図示せず）及び１つ又は複数の外部ポート５５６Ａを有し、内部ポートと外部ポート５５６Ａは、アダプタ５５６の対向する両側に位置する。ネットワークケーブル２１の第２の端２１Ｂは、内部ポートに接続されるように配置される。固定ブラケット５５０がシャシー１３０のケーブル通路１４０に挿入された場合、外部ポート５５６Ａは、ケーブル通路１４０の第２の開口１４０Ｂから露出し、かつ、外部ケーブルを介してネットワークスイッチＳＷに接続される。このようにして、ネットワークケーブル２１、アダプタ５５６と外部ケーブル（図示せず）は、ともに第１のノード１１０とネットワークスイッチＳＷとの間のデータ伝送経路を構成する。
【００２９】
以上を纏めると、本開示のサーバ装置は、両側を連通させるケーブル通路を提供し、管理者にとって、ネットワークケーブルを、サーバ装置の一側から他側のノードと接続するためにケーブル通路を介して他側まで延伸するように敷設しやすくなる。
【００３０】
本開示は実施形態により前述の通りに開示されたが、本開示を限定するためのものではなく、当業者であれば、本開示の精神と範囲から逸脱しない限り、多様の変更や修飾を加えることができる。従って、本開示の保護範囲は、下記の実用新案登録請求の範囲で指定した内容を基準とするものである。
【符号の説明】
【００３１】
２１、２２  ネットワークケーブル
２１Ａ  第１の端
２１Ｂ  第２の端
１００、２００、３００、５００  サーバ装置
１１０  第１のノード
１１２  第１のポート
１２０  第２のノード
１２２  第２のポート
１３０  シャシー
１３１  第１のエッジ
１３２  第２のエッジ
１３３  第１の側壁
１３４  第２の側壁
１３５  セパレータ
１３６  底壁
１３７  頂壁
１４０  ケーブル通路
１４０Ａ  第１の開口
１４０Ｂ  第２の開口
３５０、５５０  固定ブラケット
３５０Ａ  第１のフレーム
３５０Ｂ  第２のフレーム
３５０Ｃ  回転軸構造
３５２  ファスナー
３５４  ほぞ継ぎ
３５４Ａ  押圧部
３５４Ｂ  突起
５５６  アダプタ
５５６Ａ  外部ポート
Ｅ１  第１の開口部
Ｅ２  第２の開口部
ＳＷ  ネットワークスイッチ
ＳＷ３  第３のポート
Ｔ  穴
【図１Ａ】
0003232197.tif 000003
【図１Ｂ】
0003232197.tif 000004
【図２】
0003232197.tif 000005
【図３】
0003232197.tif 000006
【図４】
0003232197.tif 000007
【図５】
0003232197.tif 000008
【図６】
0003232197.tif 000009